Podtech/llm-jp-corpus-v4-ja_patent huggingface dataset:
(57)【要約】      （修正有）【課題】閉じた傘の持ち運びが便利であり、他の歩行者に迷惑をかける持ち方をする人を減らすことができるキャスター付き傘を提供する。【解決手段】傘の先端にキャスター１を設ける。既存の傘に取り付けるために、傘の先端にはめられるようキャップ状とし、その反対側に車輪が付いていてもよい。傘の先端を地面に着けたまま持つ事ができ、引きずった際に生じる不快な音を解消し、傘を真横に持って前後に手を振る事で背後にいる人にぶつかる危険がある事故を未然に防ぐことができる。【選択図】図１
0003199968.tif 000002
【実用新案登録請求の範囲】
【請求項１】
先端にキャスター（トラックボール型も含む）が付いている傘
【請求項２】
既存の傘の先端に付けるキャスター（トラックボール型も含む）
【考案の詳細な説明】
【技術分野】
【０００１】      本考案は先端にキャスターがついている傘と、既存の傘の先端につけるキャスターに関するものである。
【背景技術】
【０００２】      傘の持ち運びに関する新たな提案である。傘はさしている時には特に不便さを感じないが、閉じている時はその所持に不便さを感じる。そして閉じた傘を持って歩く時、地面から浮かして持たなくてはならず、その為に腕を曲げなくてはいけない場合があり、腕にとても負担がかかる。それを回避しようとする為に引きずろうとすると、傘の先端と着地した地面との摩擦によりとても不快な音がする。行儀が悪い行為にも見受けられる。従来の地面から浮かせた状態で傘を持つ方法は腕を曲げて運ぶ為に腕に負担がかかる為、その負担を極力減らすために傘を真横にして持つ人を時々見かけるが、横にして傘を持つとその傘の先端が後ろの歩行者にぶつかったり、丁度子供の顔の位置にあたりとても危険である。
【考案の概要】
【考案が解決しようとする課題】
【０００３】      閉じた傘を持ち運ぶ際の不便さを解消、引きずった時に出る地面との摩擦音の解消、更に傘を真横に持つ事による他の歩行者に対する迷惑行為の減少を目的とした考案である。
【課題を解決するための手段】
【０００４】      本考案は、傘の先端にキャスターを設ける事で、傘の先端を地面に着けたまま運ぶ事ができる。閉じた傘の所持する不便さを解消している。傘の先端に付いているキャスターは、最初から傘に固定してあるものと既存の傘の先端に後から取り付けるものがあり、後者はいつでも取り外し可能であり、状況に応じて着脱可能である。
【考案の効果】
【０００５】      傘の先端を地面に着けたまま運ぶことができ、その際に生じる地面との摩擦音を解消出来る。傘を地面に着けて持ち運ぶことを提案することで、傘を真横に持って前後に手を振る人々を減らし、事故を未然に防ぐ効果が期待できる。
【図面の簡単な説明】
【０００６】
【図１】本考案のキャスター付き傘先端部の正面図である。
【図２】本考案のキャスター付き傘先端部を横から見た図である。
【図３】本考案の既存の傘の先端につけるキャスターの正面図である。（キャスター部分については、図１同様３つのタイプがある。）
【考案を実施するための形態】
【０００７】  傘の先端にキャスターが付いている。
【０００８】  既存の傘に取り付けるタイプは、傘の先端にはめられるようキャップ状になっていて、その反対側に車輪が付いている。
【実施例】
【０００９】  以下、添付図面に従って一実施例を説明する。【００１０】  傘の先端に付いた１のキャスターを地面に着地させ傘を転がす。【００１１】  既存の傘に取り付けるタイプは、傘の先端に２の部分をはめ込み、３のキャスター部分を地面に着けて傘を転がす。
【符号の説明】
【００１２】  １  キャスター部分
２  既存の傘の先端を差し込むキャップ部分
【図１】
0003199968.tif 000003
【図２】
0003199968.tif 000004
【図３】
0003199968.tif 000005
【手続補正書】
【提出日】平成27年4月13日(2015.4.13)
【手続補正１】
【補正対象書類名】実用新案登録請求の範囲
【補正対象項目名】全文
【補正方法】変更
【補正の内容】
【実用新案登録請求の範囲】
【請求項１】
先端にキャスターが付いている傘
【請求項２】
先端にトラックボールが付いている傘
【請求項３】
傘の先端に後付出来る筒と一体化したキャスター
【請求項４】
傘の先端に後付出来る筒と一体化したトラックボール
(57)【要約】      （修正有）【課題】トイレットペーパーホルダーに左右を正確に取り付けることができ、使用開始位置も認識できるためスムーズな利用開始が可能となるトイレットペーパーを提供する。【解決手段】トイレットペーパーをトイレットペーパーホルダーに設置する場合、使用開始位置の右端の部分に目印となるワンポイントを付ける。また、端に目印があると収納時に揃えることも運搬も容易であり、トイレットペーパーホルダーへの取り付けも一度で正確に行うことができる。【選択図】図１
0003199969.tif 000002
【実用新案登録請求の範囲】
【請求項１】
トイレットペーパーの設置方向及び使用開始位置を的確に表すこと。水平方向に置いたときに右側に目印を付けることを取り決めることにより、保存時の向きを揃えることができる。またトイレットペーパーホルダーへ取り付け時に目印を右側にすることにより、トイレットペーパーの巻かれている向きが表され、結果トイレットペーパーホルダーへの上下の正確な取り付けが可能になる。さらにトイレットペーパーの使用開始位置のスムーズな認識を提供する。なお、目印となるポイントの位置を左側に統一するなど変更も考えられる。目印となるマークは不快感を与えにくいブルーなどのワンポイントや花や生物、企業の商標やマスコットなどが考えられる。また、ワンポイントで完了するので製造コストも最小限に抑えることができ、製品の差別化によりPR効果も認められる。
【考案の詳細な説明】
【考案の概要】
【考案が解決しようとする課題】
【０００１】
１）トイレットペーパー製品自体が未使用であるか使用済みであるかが確認しづらい。
２）トイレットペーパーをトイレットペパーホルダーに取り付ける際に、トイレットペーパーカッターで切ることのできる向きに合うように、トイレットペーパーの巻かれている方向を確認することが容易ではない。
3）通常のトイレットペーパーは白色または単色であることが多く、さらに非常に薄いため、使用開始位置および巻かれている向きがわかりづらい。使用を開始する位置を確認するためには、トイレットペーパーを目に近づけて確認したり、指でなぞったりしてめくる位置を確認する必要があり非常に不便である。
【課題を解決するための手段】
【０００２】
１）トイレットペーパーの使用開始位置に認識できる目印を付けることにより、未使用であることがわかる。
２）トイレットペーパーを下方向に引くことによって使用できる水平に設置されたトイレットペーパーホルダーに取り付けることを考える。
トイレットペーパーを正しく設置した場合のトイレットペーパーの正面の右側の使用開始位置に目印を付けるものとする。
それにより、トイレットペーパーをトイレットペーパーホルダーに設置する場合、常に右側に目印がくるように取り付ければ向き及び使用開始位置も合致し、スムーズにトイレットペーパーを取り付け使用開始することができる。
３）トイレットペーパーに目印は、ブルーや花や動物のイラストや商標などが考えられ、目視できるものにする。
【考案の効果】
【０００３】
1)トイレットペーパー製品本体が未使用であることがわかり衛生的である。
２）トイレットペーパーホルダーへ取り付ける際、ポイントを右側にして取り付けることにより、
トイレットペーパーがカットされる方向を左右間違えずに取り付けることができる。
３）トイレットペーパーを使用開始する位置がポイントされていることにより、
使用開始時にめくる位置が明瞭になるためストレスなく使用開始がスムーズになる。
4)トイレットペーパーを収納する際に、巻き方の向きや使用開始位置を揃えておくことができ運搬や補充、及び取り付けがスムーズである。
【図面の簡単な説明】
【０００４】
【図１】トイレットペーパーの向き合わせて、使用開始位置に目印となるマークを付ける。
【図２】トイレットペーパーホルダーに取り付ける場合に、目印となるマークを右側にして取り付ける。それにより、トイレットペーパーが正しい向きに取り付けられ、使用開始位置も確認できる。
【図３】トイレットペーパーの収納時に、巻かれている方向を揃えることができる。また、目印となるマークを上にすることにより整然と整理して保管できる。またトイレットペーパーホルダーに取り付けをスムーズに行える。
【実施例】
【０００５】
トイレットペーパーの使用開始位置にワンポイントで目印を付けるため、技術的にも容易であり、時間もコストも最小に抑えることができる。
【産業上の利用可能性】
【０００６】
ワンポイントのみのマーキングのため、最小限の製造コストと時間で済む。そのため導入時の負担が最小限に抑えられる。また製造メーカーのみでなく、様々な他企業との連携により、ワンポイントを企業の指定したマークにすることも可能となり、商品購入者への訴求効果も期待できる。
【図１】
0003199969.tif 000003
【図２】
0003199969.tif 000004
【図３】
0003199969.tif 000005
【手続補正書】
【提出日】平成27年7月10日(2015.7.10)
【手続補正１】
【補正対象書類名】実用新案登録請求の範囲
【補正対象項目名】全文
【補正方法】変更
【補正の内容】
【実用新案登録請求の範囲】
【請求項１】
未使用のトイレットペーパーにおいて使用開始位置の右端にワンポイントがあることを特徴とする巻き方向及び使用開始位置を示す認識マークを有するトイレットペーパー。
(57)【要約】      （修正有）【課題】整正字の字形を紙面に設けた溝によって示し、学習者がそこに筆記具の先端を入れて書くことを通して点画の長さ・方向を身体感覚とするよう促す練習用紙を提供する。【解決手段】一定の厚さをもった紙１、および、紙以外の可能なものに溝３を設ける。【選択図】図１
0003199981.tif 000002
【実用新案登録請求の範囲】
【請求項１】
紙面に溝を設け、そこに筆記具の先端を入れることによって軌跡を誘導し、「きれいな字」を書く技能を身に付けさせる練習方式。
【考案の詳細な説明】
【０００１】  本考案は、整正字（きれいな字）を書く技能を身に付けるための方法である。
【背景技術】
【０００２】  児童・生徒の国語科書写学習、および、高校生から成人までの文字練習は、お手本を見て模倣する方法である。しかし、目で捉えた字形を手が再現するのは困難であるため、「一字千回」というように繰り返して書かなければならず、目標を達成するには長い年月を要する。
申請者は、これを解決するために、「六度法」という字形整正法を創案し、「実用新案」も得て普及にあたっている。これは中国古典の整正字を原拠に右に向かう点画を「右上がり６度」にするもので、その効果は広く認められている。
その学習法をさらに工夫すれば「右上がり６度」を短時間で身体感覚化することが可能である。また、手指のおぼつかない低年齢の学習者が基礎を習得するのにも効果がある。
【考案の開示】
【考案が解決しようとする課題】
【０００３】  整正字とは、点画の長さ・方向・接筆位置・交差位置がほどよい字を指すが、横画を「右上がり６度法」とすることが前提であり、このアイデアはそれを促す効果がある。
溝は、ぬかるみや雪道のわだちによって後続車は否応なしにそれに従わざるをえないように、整正字の必須条件である横画の右上がり６度を身体感覚化する（いわゆる身体で覚える）働きがある。
【課題を解決するための手段】
【０００４】  一定の厚さをもった用紙に整正字の字形の溝を設ける。
【考案の効果】
【０００５】  右上がり６度の横画を認識するとともに身体感覚化を促し、整正字の基礎技能を身に付けることができる。
【考案を実施するための最良の形態】
【０００６】以下、本考案の実施の形態を説明する。
本用紙を用いて、横画を含む漢字・平仮名・片仮名を刻し、凹みに筆記具の先端を入れて送筆する。
【図面の簡単な説明】
【０００７】
【図１】本考案の正面図
【符号の説明】
【符号の説明】１  用紙
２  文字記載面
３  横画の角度を誘導する溝
【図１】
0003199981.tif 000003
【手続補正書】
【提出日】平成27年7月7日(2015.7.7)
【手続補正１】
【補正対象書類名】実用新案登録請求の範囲
【補正対象項目名】全文
【補正方法】変更
【補正の内容】
【実用新案登録請求の範囲】
【請求項１】
紙面に字形の溝を設け、そこに筆記具の先端を入れることによって軌跡を誘導し、「きれいな字」を書く技能を身に付けさせることができる練習用紙。
(57)【要約】      （修正有）【課題】車の車輪軸の回転力を利用した発電機を提供する。【解決手段】車の車軸４の一端に永久磁石５を取り付け、永久磁石の周囲をステーターコイル６で覆い、ステーターコイルが固定されたカバー８を車軸軸受部３の側面に取り付けることを特徴とする。【選択図】図１
0003199982.tif 000002
【実用新案登録請求の範囲】
【請求項１】
車の走行により発生する車軸の回転力を利用し、車軸の一端に、永久磁石を取り付け、周囲をステーターコイルで覆い、発電機としたものを、車軸軸受部の側面に取り付ける。
【考案の詳細な説明】
【技術分野】
【０００１】本考案は、車の車輪軸に連結させた軸をもうけ、車の走行により発生する回転力を利用し、車輪軸受部の側面に発電機を取り付けたものである。
【背景技術】
【０００２】車の走行により発生する車輪軸の、回転力を利用せずに、空転のまゝ走行していた。
【考案の概要】
【考案が解決しようとする課題】
【０００３】現在の自動車業界では、ハイブリッド車、電気自動車等、電気を多く必要とする車の量が増え、発電機の用途が重要となる。
【課題を解決するための手段】
【０００４】ハイブリッド車、電気自動車等、電気を多く必要とする車種が増え、発電量の増量が期待されるため、車の走行により生ずる回転力を有効に利用した、発電機を取り付ける。
【考案の効果】
【０００５】車の走行により発生する回転力を利用した発電機を、取り付けたことにより、従来の車より、発電量が増し、ハイブリッド車、電気自動車の走行距離が延びエネルギーの節減となる。
【図面の簡単な説明】
【０００６】
【図１】本考案の平面図である。
【図２】本考案のカバーをはずした、発電機部の斜面図である。
【考案を実施するための形態】
【０００７】発電機は、車の車輪軸の延長軸に永久磁石を取り付け、その周囲をステーターコイルで覆いステーターコイルは、カバーに固定し、カバーは、車輪軸軸受部の側部に固定する。
【符号の説明】
【０００８】１  車体
２  車輪
３  車輪軸受け部
４  車輪軸
５  永久磁石
６  コイル（ステーターコイル）
７  車輪軸受け
８  発電機カバー
９  取付ボルト
【図１】
0003199982.tif 000003
【図２】
0003199982.tif 000004
【手続補正書】
【提出日】平成27年6月29日(2015.6.29)
【手続補正１】
【補正対象書類名】実用新案登録請求の範囲
【補正対象項目名】全文
【補正方法】変更
【補正の内容】
【実用新案登録請求の範囲】
【請求項１】
車の車軸の一端に永久磁石を取り付け、前記永久磁石の周囲をステーターコイルで覆い、前記ステーターコイルが固定されたカバーを車軸軸受部の側面に取り付けることを特徴とする発電機。
(57)【要約】      （修正有）【課題】乾いた紙と濡れた紙を同梱させ、同時に使用可能とした保管箱を提供する。【解決手段】乾いた紙を入れる箱の端に、濡らした紙を入れる箱を設け、濡らした紙の引き出し口を作り乾いた紙と濡れた紙を同梱させ、乾いた紙と濡れた紙を同時に使用可能とした事を特徴とする。濡れた紙が横ずれし、湿気が乾いた紙の方に移る事を防止するため製造する素材としては湿気を通さない硬質ダンボール叉はアルミ箔、粘着テープ、合成樹脂等を利用する。特に濡れた紙を入れる箱は使用後上部の引き出し口からの外気を遮断することを重点に考え、ビニール系の粘着テープで密封する。【選択図】図１
0003199984.tif 000002
【実用新案登録請求の範囲】
【請求項１】
乾いた紙をいれた箱の端に濡らした紙を設け持ち運び可能な長方形箱を用意し箱の上部に紙の引き出し口を付け、片方の箱に濡れた紙の引き出し口を設ける
乾いた紙と濡れた紙を同梱させ、乾、湿紙を同時に使用できる事を特長とする保管箱である。
【考案の詳細な説明】
【技術分野】
【０００１】本考案は小型の箱の中に乾いた紙と、濡れた紙を同時に保管することによって、必要に応じてどちらでも利用出来るようにしたものである。
【背景技術】
【０００２】従来からティシュペイパーの保管箱はあったが、乾いた紙と濡れた紙を一つの箱にまとめたものは無かった。
一つを２分割し箱の中に乾いた紙と、濡れた紙を分割保管することを特徴とする乾湿ティシュ箱である。
【考案の開示】
【０００３】上記した実用新案の乾湿ティシュ箱は，中空の箱を２カ所に分割するが箱の大きさや形状はそれぞれ異なっていて、その中に乾いた紙と湿った紙を区分し箱に納めその用途に応じてどちらでも自由に取り出して利用する事が出来る。
従来のティシュペイパーでは利用が限られていると言う欠点があった、この１個の箱を２個に分離することで乾，湿の紙が横ずれ、混合することを防止出来る湿った紙の湿度が乾いた紙の方に移ることの防止になる。
【０００４】本考案で２か所に分離した箱の上に紙の引き出し穴を設け、容易に引き出すことが出来るようにする、横ずれ防止の仕切りを設けた乾湿ティシュ箱の提供を目的とするものである。
【課題を解決するための手段】
【０００５】上記の目的を達成するために、本考案は乾湿の紙を２か所に仕切り板で分け２か所の箱の両方に紙の引き出し穴を設ける、湿紙の引き出し穴は外気と触れないように形成し、２重構造で外気と遮断することに重点を置いた構造とするものである。
【考案の効果】
【０００６】本考案の乾湿ティシュ箱は特に子供さんとか高齢者の方が生活する上で衛生面で顕著な効果を有する、箱を小型に形成したことと乾湿を同梱したことで家庭、子育てリクレーションと手軽に持ち運べて利用できるとゆう、特筆すべき効果がある。
【考案を実施するための最良の形体】
【０００７】以下本考案の実施例を図面と共に説明する、図１は本考案の外観を示す斜視図で有り，又図２は乾湿ティシュを箱に納めた状態の断面図，さらに図３は本考案の平面図である。
【０００８】本考案からなる乾湿ティシュ箱は持ち運びが便利で、製造する素材としてはダンボールを素材としたものを中心に合成樹脂、またはアルミ箔、粘着テープ等を利用し製造する事も可能である。
【０００９】上記に示すような素材を組み合わせる事によって、例えば湿気を絶対的に遮断することを最重点に考え、湿気を通さないダンボール系の紙で小型の箱を設ける、その紙の上部には紙の引き出し口を設け外気と触れないような構造にし、使用後はビニール系の粘着テープで密封させる、また外気とふれない方法としてダンボールで円筒形の筒を設け筒の上蓋に十字の切込みを設け中心に丸型の紙の引き出し口を付ける，使用後は小型の箱と同様に蜜封する。
【図面の簡単な説明】
【００１０】
【図１】本考案の乾、湿ティシュ箱の斜視図である。
【図２】図１の乾、湿ティシュ箱の断面図である。
【図３】図１の乾、湿ティシュ箱の平面図である。
【符号の説明】
【００１１】（１）乾、湿ティシュ箱
（２）湿、ティシュ箱
〈３〉乾、ティシュ引出穴
（４）湿、ティシュ引出穴
（５）ビニール系粘着蓋
【図１】
0003199984.tif 000003
【図２】
0003199984.tif 000004
【図３】
0003199984.tif 000005
【手続補正書】
【提出日】平成27年6月29日(2015.6.29)
【手続補正１】
【補正対象書類名】実用新案登録請求の範囲
【補正対象項目名】全文
【補正方法】変更
【補正の内容】
【実用新案登録請求の範囲】
【請求項１】
乾いた紙を入れる箱と、乾いた紙を入れる箱の端に配置され、濡らした紙を入れる箱とからなる保管箱であって、乾いた紙を入れる箱の上部に、乾いた紙の引き出し口を設け、濡らした紙を入れる箱の上部に、濡らした紙の引き出し口を設け、乾いた紙と濡れた紙を同梱させ、乾いた紙と濡れた紙を同時に使用可能としたことを特徴とする保管箱。
(57)【要約】      （修正有）【課題】使用後に手で簡単に側板を外側に開いて平面化することができる解体容易な貼り箱を提供する。【解決手段】多角形状の中央板１２の各辺に側板１３，１４，１５，１６を備える箱芯材１１と、中央板１２に対して各側板を立ち上げ、隣接する側板同士の接線部分を固定する粘着テープ４０と、箱芯材１１の表面を被覆する化粧紙２０とからなる貼り箱において、粘着テープ４０は、側板同士の接線部分に沿ってミシン目４１が施されている。【選択図】図１
0003199914.tif 000002
【実用新案登録請求の範囲】
【請求項１】
多角形状の中央板の各辺に側板を備える箱芯材と、
前記中央板に対して側板を立ち上げ、隣接する側板同士の接線部分を固定する粘着テープと、
前記箱芯材の表面を被覆する化粧紙とからなる貼り箱において、
前記粘着テープは、前記側板同士の接線部分に沿ってミシン目が施されていることを特徴とする貼り箱。
【請求項２】
前記中央板が四角形であることを特徴とする請求項１記載の貼り箱。
【考案の詳細な説明】
【技術分野】
【０００１】
本考案は、貼り箱に関し、詳しくは、箱芯材の隣接する側板同士の接線部分を粘着テープで固定する貼り箱に関する。
【背景技術】
【０００２】
従来、厚紙等で形成される箱芯材を組み立てて箱状とし、この表面に、例えば印刷などで装飾が施された薄紙状の化粧紙を被覆して完成させる貼り箱が知られている。このような貼り箱は、丈夫で衝撃に強い上に、化粧紙にデザイン性や質感を持たせることが可能なため、外観体裁が良好であり、高級感があるため贈答品等の包装用箱として広く用いられる。
【０００３】
貼り箱は、チップボール材等の厚紙で形成される箱芯材を箱の展開形状に作成し、底板（中央板）に対して側板を立ち上げ、隣接する側板同士の接線部分を粘着テープで固定して箱状に組み立てる。次に、化粧紙を箱芯材の表面を覆うように張り付けて完成させる（例えば、特許文献１，２参照。）。
【先行技術文献】
【特許文献】
【０００４】
【特許文献１】特開２０１３−２１２６６３号公報
【特許文献２】実用新案登録第３１９６７４３号公報
【考案の概要】
【考案が解決しようとする課題】
【０００５】
しかしながら、上述の特許文献１，２記載の貼り箱は、隣接する側板同士の接線部分が、粘着テープに加えて、化粧紙の糊代部分で固定されているために、隅部分の強度が高い。そのため、そのままの状態で廃棄して嵩張ってしまったり、苦労して解体して平面化したりと、廃棄回収する際に手間と時間がかかってしまう場合がある。
【０００６】
そこで、本考案は、使用後に手で簡単に側板を外側に開いて平面化することができる解体容易な貼り箱を提供することを目的としている。
【課題を解決するための手段】
【０００７】
上記の目的を達成するため本考案の貼り箱は、多角形状の中央板の各辺に側板を備える箱芯材と、前記中央板に対して側板を立ち上げ、隣接する側板同士の接線部分を固定する粘着テープと、前記箱芯材の表面を被覆する化粧紙とからなる貼り箱において、前記粘着テープは、前記側板同士の接線部分に沿ってミシン目が施されていることを特徴としている。
【０００８】
また、前記中央板が四角形であることを特徴としている。
【考案の効果】
【０００９】
本考案の貼り箱によれば、前記側板同士の接線部分に沿ってミシン目が施されている粘着テープを用いていることから、手で容易に側板同士を解体することができる。
【図面の簡単な説明】
【００１０】
【図１】（Ａ）〜（Ｄ）は、本考案の一形態例に係る貼り箱を組み立てる工程図である。
【図２】本考案の一形態例に係る貼り箱に用いられる粘着テープの説明図である。
【考案を実施するための形態】
【００１１】
以下、本考案の一形態例に係る貼り箱について、図１及び図２に基づいて説明する。
【００１２】
本形態例における箱芯材１１は、図１（Ａ）に示されるように、展開状態で、四角形の中央板１２の前後左右辺にそれぞれ側板１３，１４，１５，１６を半キ切線又はＶカットを介して連設している。
【００１３】
展開状態の箱芯材１１を化粧紙２０の上に載置して（図１（Ａ）に示す状態）、貼り箱を形成していく工程を図１を用いて説明する。
【００１４】
まず、箱芯材１１の中央板１２から側板１３、１４、１５、１６を立ち上げ、隣接する側板１３と側板１４、側板１４と側板１５、側板１５と側板１６、側板１６と側板１３の側端縁同士（接線部分）を粘着テープ３０で固着して、箱状の箱芯材１１とする（図１（Ｂ）に示す状態の箱芯材）。
【００１５】
粘着テープ３０は、図２に示されるように、幅方向中央に長手方向に沿ってミシン目３１が施されている。粘着テープ３０を箱芯材に貼る際には、各側板の側端縁同士（接線部分）にミシン目３１が合うようにする。
次に、箱芯材１１の表面を覆うように、化粧紙２０を接着剤を介して貼着する。まず、図１（Ｃ）に示すように、一方の対向する側板部２１、２２をそれぞれ立ち上げて側板１３、１５に貼着し、第一折込部（糊代）２３、２４を隣接する側板１４、１６に貼着する。また、第二折込部２５、２６を側板１３、１５の内側に沿わせて貼着する（図１（Ｄ））。
次に、図１（Ｄ）に示すように、他方の対向する側板部２７、２８を立ち上げ、側板１４、１６に貼着するとともに、第二折込部２９、３０を側板１４、１６の内側に沿わせて貼着すれば、貼り箱が完成する。
【００１６】
このように形成された貼り箱を解体する際には、各側板の接線部分の粘着テープにはミシン目が施されているため、第一折込部（糊代）を破裁する力を加えるだけでよく、手によって容易に解体して、平面化することができる。
【００１７】
なお、本形態例では、中央板１２が四角形であるが、五角形等の多角形状の中央板であったもよい。また、かぶせ蓋と身箱の両方又はいずれかを本考案に係る貼り箱で形成してもよい。
【符号の説明】
【００１８】
１１…箱芯材、１２…中央板、１３，１４，１５，１６…側板、２０…化粧紙、２１，２２，２７，２８…側板部、２３，２４…第一折込部（糊代）、２５，２６，２９,３０…第二折込部、４０…粘着テープ、４１…ミシン目
【図１】
0003199914.tif 000003
【図２】
0003199914.tif 000004
(57)【要約】      （修正有）【課題】構造が簡単で、作業しやすく、患者が尿液検査の際に収集しやすい小便池を提供する。【解決手段】小便池本体１、および小便池本体１の下側に備える尿液の排出口２、および尿液の排出口２の右側、尿液口に近いところの当たり板３を含む。当たり板３の下側に尿液収集ケースに用いる口を備え、尿液の排出口２に近い通風口４の上側に尿液の流れ当たり板３を備える。【選択図】図１
0003199017.tif 000002
【実用新案登録請求の範囲】
【請求項１】
尿液収集の小便池において、小便池の本体、および小便池の本体の下側に尿液排出口を備え、および尿液排出口の斜め上方であって、尿液排出口の近くに当たり板を含み、その特徴としては、前記の当たり板の下側に尿液の収集に用いる収集通風口を備え、前記当たり板は、前記の収集用通風口の上側であって、尿液排出口の所に近いところに設けられたことを特徴とする尿液収集の小便池。
【請求項２】
請求項１に記載の尿液収集の小便池において、前記のあたり板が引き出し可能に設置されていることを特徴とする尿液収集の小便池。
【請求項３】
請求項１に記載の尿液収集の小便池において、前記の当たり板がU型であることを特徴とする尿液収集の小便池。
【考案の詳細な説明】
【技術分野】
【０００１】
この実用の新型は一種の尿液収集に便利な小便池にかかわる。
【背景技術】
【０００２】
現代社会において、人々は尿液試験前に１つの清潔な小さい瓶を用意しなければならなく、いずれの尿液を毎回注意し、最も理想的なのは中段尿であるが、実際は作業中にすごく不便なので、特に年を取った人は尿液をそとかてのひらにいれがちであり、いまの医療設備において、まだもっぱら尿液の収集に用いる専用設備がない。
【考案の概要】
【考案が解決しようとする課題】
【０００３】
この実用の新型は解決する必要がある技術問題は一種の構造が簡単な、作業しやすく、患者が尿液検査に収集しやすい小便池である。
【課題を解決するための手段】
【０００４】
前記の問題を解決するために、この実用の新型は以下の技術案を取る。
一種の尿液収集がしやすい小便池で、小便池の本体、および小便池の本体の下側に備える尿液の排出口を備え、および尿液の排出口の右側、尿液排出口の当たり板に近いところに備え、前記の当たり板の下側に尿液収集ケースを置く収集用の通風口を備え、前記の収集通風口の上側で尿液の排出口のところに尿液の流れ出し当たり板を備える。
【０００５】
厳選した技術案とし、前記の当たり板は引き出し可能な構造である。
【０００６】
厳選した技術案とし、前記の尿液の流れ出し当たり板がU型である。
【考案の効果】
【０００７】
この実用の新型を使用するときに、当たり板を引き出し、前側の尿液と尻尾側の尿液を尿液の排出口に排出し、中間の尿液は当たり板をとおして尿液収集ケースに排出し、すべての流れにおいては、尿液の収集ケースに接触する必要がなく、もっと清潔で衛生であり、作業過程において尿液をてのひらまたはそとに入れないようにし、とてもよい売れ行きがある。
【図面の簡単な説明】
【０００８】
【図１】この実用の新型の、尿液の収集がしやすい小便池の構造の表し図である。
【考案を実施するための形態】
【０００９】
以下とおり付図に合わせてこの実用の新型で厳選した実例に詳しい説明を行い、この実用の新型のいいところと特徴にもっとこの分野の技術者に理解されやすく、それでこの実用の新型の保護範囲にもっとはっきりとした明らかな区分を行った。
【００１０】
参照図１のとおりの一種の尿液の収集がしやすい小便池で、小便池本体１、および小便池の本体１の下側の尿液の排出口２を備え、尿液の排出口２の右側、尿液口の当たり板５に近いところを備え、前記のあたり板５の下側の設置に尿液収集ケースに用いる収集通風口４があり、前記の収集通風口４の上側の尿液排出口２に近いところに尿液の流れ出し当たり板３を備える。
【００１１】
そのなか、前記の当たり板５が引き出し可能な構造であり、前記の尿液の流れ出し当たり板３がU型で、そのなかの片側が流れ出し可能な尿液が尿液収集ケースに入り、もう片側はもっとうまく尿液収集ケースが固定できる。
【００１２】
この実用の新型の尿液の収集がしやすい小便池の有益な効果は、この実用の新型を使用するときに、当たり板を引き出し、前側の尿液と尻尾側の尿液を尿液の排出口に排出し、中間の尿液は当たり板をとおして尿液収集ケースに流れ出し、すべての過程において尿液収集ケースに接触する必要がなく、もっと清潔で衛生、作業中に尿液をてのひらまたはそとにいれないようにし、とてもよい売れ行きがある。
【００１３】
以下の表しはこの実用の新型の基本原理、主な特徴とこの実用の新型のいいところを説明した。この業界の技術員は、この実用の新型が前記の実施例の制限に影響されず、前記の実例と取り説においてただこの実用新型の原理を説明し、この実用新型の精神と範囲の前提においてこの実用新型にまた様々な変化と改善から離れず、これらの変化と改善はみんな保護すると要求されたこの実用新型の範囲内に落ち込むことを理解すべきである。この実用新型に要求される保護範囲は、付着している権利要求書およびその相当品により定める。
【符号の説明】
【００１４】
１  小便池本体
２  排出口
３  あたり板
４  収集通風口
【図１】
0003199017.tif 000003
(57)【要約】      （修正有）【課題】自らのニーズにより、砂袋の本体の全体重量を増やすことができて、しかも、運動時にすべり落ちないようにする砂袋を提供する。【解決手段】砂袋の本体１を含み、砂袋の本体１の壁に綱状の挿入溝２を備え、綱状の挿入溝２内にリブ状の砂袋を挿入されており、砂袋の本体１に３つのベルト５、６、７から１つのベルトロックが構成され、前記のベルトロックは半分の円弧状になっており、前記のベルトロックのもう１つ側に腰部の固定ベルト３を繋げており、腰部の固定ベルト３は弾性材料から構成し、尻尾部に１つの腰部のベルトとお互いに繋がるロック４を備える。【選択図】図２
0003199019.tif 000002
【実用新案登録請求の範囲】
【請求項１】
砂袋において、砂袋の本体、前記の砂袋の本体の外壁に綱状の挿入溝を備え、前記の綱状の挿入溝内にリブ状の砂袋を挿入し、前記の砂袋の本体の真中に第１のベルトを備え、第１のベルトの下側に第２のベルトがあり、第２のベルトの下側に第３のベルトがあり、第１乃至第３のベルトから１つのベルトロックが構成され、前記のベルトロックが半円弧形状になっており、前記のベルトロックの両側に腰部の固定ベルトを接続していることを特徴とする砂袋。
【請求項２】
請求項１に記載の砂袋において、前記の綱状の挿入溝の高さと砂袋の本体の高さは同一で、上側は開け口であることを特徴とする砂袋。
【請求項３】
請求項１に記載の砂袋において、前記の第１のベルト、第２のベルトと第３のベルトはいずれも砂袋の本体の綱状の挿入溝の外部に備えることを特徴とする砂袋。
【請求項４】
請求項１に記載の砂袋において、前記の腰部の固定ベルトは弾性材料から構成されたことを特徴とする砂袋。
【考案の詳細な説明】
【技術分野】
【０００１】
実用新型は一種の砂袋の構造にかかわる。
【背景技術】
【０００２】
砂袋は一般的には、腿に絞り、人の腿部の力を鍛練することに用いる。伝統的な砂袋の重要が比較的に重く、ただ単一の梱包方法を通して運動時に落ち、かつその中身の重要は砂袋の今後の重さを決定し、個人のニーズにより重量を減らすことができず、従って、またたくさんの不足しているところがある。
【考案の概要】
【考案が解決しようとする課題】
【０００３】
この実用新型に解決する必要がある問題は一種の絞り方と効果がよく、ニーズにより砂袋の構造に増加または減少を行う。
【課題を解決するための手段】
【０００４】
この実用新型は以下の技術案にて実現する。一種の砂袋の構造で、砂袋の本体を含む。前記の砂袋の本体の外壁に綱状の挿入溝を備え、前記の綱状の挿入溝内にリブ条の砂袋があり、前記の砂袋の本体の真中にベルト１を備え、ベルト１の下側にあるベルト２、ベルト１の下側にあるベルト２、ベルト２の下側にあるベルト３、この３本から１つのベルトロックが構成し、前記のベルトはロックで半円弧形になっており、前記のベルトロックのもう１つ側のコネクタに腰部の固定ベルトが繋がっている。
【０００５】
厳選した技術案として、前記の綱状の挿入溝の高さと砂袋の本体が相当で、上側の口が開いている。
【０００６】
厳選した技術案として、前記のベルト１、ベルト２とベルト３のいずれも砂袋の本体の綱状の挿入溝の外部に備える。
【０００７】
厳選した技術案として、前記の腰部の固定は弾性材料から構成しており、尻尾部に１つの腰部のベルトが合うロックである。
【考案の効果】
【０００８】
この実用新型の有益の効果は、この実用新型は自分のニーズにより、綱状の挿入溝内にそれなりの数のリブ状の砂袋に置き、それで砂袋の本体の全体重量を増やし、尚且つこの実用新型は３つのベルトにて固定し、運動時にすべ落ちるようにさせる。
【図面の簡単な説明】
【０００９】
【図１】この実用新型の俯瞰図である。
【図２】この実用新型の全体構造は表し図である。
【考案を実施するための形態】
【００１０】
図１と図２の如き、この実用新型の一種の砂袋の構造は、砂袋の本体１、前記の砂袋本体１とそとの壁に綱状の挿入溝２を備え、前記綱状の挿入溝２にリブ状の砂袋を挿入される（図表がない）。
【００１１】
前記の砂袋本体１の真中にベルト７を備え、ベルト７の下側のベルト６があり、ベルト６の下側にベルト５があり、３つのベルトから１つのベルトのロック４が構成し、前記のベルトロック４が半円弧状になっており、前記のベルトロック４のもう１つの側に腰部の固定ベルト３が繋がっている。
【００１２】
厳選した実施する方法として、綱状の挿入溝２の高さと砂袋の本体１が相当で、上側の開け口である。
【００１３】
この実施例において、ベルト７、ベルト６とベルト５いずれも砂袋の本体１の綱状の挿入溝２に備える。
【００１４】
そのうち、腰部の固定ベルト３は弾性材料から構成し、尻尾部に１つの腰部と合っているロックを備えている。  
【００１５】
この実用新型の有益効果は、この実用新型は自分のニーズにより、綱状の挿入溝内にそれだけの数量のリブ状の砂袋を置き、それで砂袋の本体の全体重量を増やし、なおかつこの実用新型は３つのベルトで絞り、しかも、腰部の固定ベルトを腰の間のベルトに固定し、運動時に滑り込むことにさせる。
【００１６】
前記のどおり、この実用新型の具体的な実施する方法だけであるが、この実用新型の保護範囲はこれに限らず、いずれも創造性の労働で思い出した変化または置き換え、いずれもこの実用新型の保護範囲内に含む。従って、この実用新型の保護範囲は権利要求書に定められた通りの保護範囲に準じることである。
【符号の説明】
【００１７】
１  砂袋の本体
２  挿入溝
３  固定ベルト
４  ロック
５、６、７  ベルト
【図１】
0003199019.tif 000003
【図２】
0003199019.tif 000004
(57)【要約】      （修正有）【課題】構造が簡単で、有効的に傷口の保護を行い、傷口の感染率を減らし、有効的に静脈に固定を行い、交換使用ができ、有効的に血止めを行うことができる緊急血止めベルトを提供する。【解決手段】緊急の血止めリブで、血止めリブ１、および血止めリブ１のうえにそなえる固定リブ５を固定ベルト４を固定リブ５の中に備え、なおかつ固定リブ４の両側が固定リブ５を貫通し、固定ベルト４のフロント側の内側にロックの歯８を備え、固定リブ４のもう１つの側にその天井と嵌め合うロック３を備え、血止め１の内表面の中部に血を収縮する布２を備える。【選択図】図１
0003199018.tif 000002
【実用新案登録請求の範囲】
【請求項１】
緊急血止めベルトにおいて、
血止めリブ、血止めリブの上に固定リブを備え、固定ベルトは固定リブ内に挿入され、なおかつ固定ベルトの両側が固定リブを貫通し、固定ベルトの一端側の内側にロックのための歯を備え、固定ベルトの他端側にその歯と嵌め合うためのロックを備え、血止めリブの内表面の中央に血を収める布を備えることを特徴とする緊急血止めベルト。
【請求項２】
請求項１に記載の緊急血止めベルトにおいて、血止めリブの内表面に蓋部を備え、血止めリブの後ろ側の面に蓋部との粘着リブを備えることを特徴とする緊急血止めベルト。
【請求項３】
請求項１に記載の緊急血止めベルトにおいて、血止めリブの材料がナノ布またはゴムであることを特徴とする緊急血止めベルト。
【考案の詳細な説明】
【技術分野】
【０００１】
この実用新型は一種のそとで使用する緊急血止めベルトにかかわる。
【背景技術】
【０００２】
血止めベルトの血止めは両脚と両手の血出し緊急救援時に用いる簡単で、有効的な血止め方法であり、それは血管を圧迫することで血流れを阻み血止めの目的に達する。
【０００３】
いまある技術で血止めリブの機能が比較的に単一で、なおかつ運用時に比較的に面倒であり、傷口を包み込み血止めを行うしかなく、だが、傷口は相変わらずそとで露出し、傷口が感染することになった。なおかつ、使用不正または使用時間が長く、血止めリブは遠いところの肢体が血を欠け、壊れてしまい、不自由になる。
【考案の概要】
【考案が解決しようとする課題】
【０００４】
この実用新型は解決すべき技術問題は一種の製作が便利で、構造が簡単で、血止め効果がよく、実用性がつよくそとで使用する緊急血止めリブを提供する。
【課題を解決するための手段】
【０００５】
上記の問題を解決するために、この実用新型は以下どおりの技術案を取る。一種のそとで使用する緊急血止めリブであり、血止めリブ、および血止めリブの上に固定リブを備え、固定リブは固定リブ内に備え、なおかつ固定リブの両側が固定リブを貫通し、固定リブの前の内側にロックの歯を備え、固定リブのもう１つの側とその天井の嵌め合いのロックを備え、血止めリブの内表面の中部に血を収縮する布を備える。
【０００６】
厳選した技術案として、血止めリブの内表面の天井にふたがあり、血止めリブのうしろ側にふたとの粘着リブを備える。
【０００７】
厳選した技術案として、血止め材がナノ布のリブまたはゴムである。
【考案の効果】
【０００８】
この実用新型の有益な効果としては、この実用新型の構造が簡単で、血止めリブは有効的に傷口に保護を行い、そととの接触を減らし、血の流れ量が減らし、そとで傷づいたときに病院へ送る途中で、交換使用ができ、有効的に血を止めることができ、作業が便利だけでなく、我々の安全がもっと保証できる。
【図面の簡単な説明】
【０００９】
【図１】この実用新型のそとで使用する緊急血止めベルトの構造の表し図。
【図２】この実用新型のそとで使用する緊急血止めのうしろ図である。
【考案を実施するための形態】
【００１０】
図１と図２の通り参照し、一種のそとで使用する緊急の血止めリブで、血止めリブ１、および血止めリブ１のうえにそなえる固定リブ５を固定ベルト４を固定リブ５の中に備え、なおかつ固定リブ４の両側が固定リブ５を貫通し、固定ベルト４のフロント側の内側にロックの歯８を備え、固定リブ４のもう１つの側にその天井と嵌め合うロック３を備え、血止め１の内表面の中部に血を収縮する布２を備えるのを含む。
【００１１】
厳選した技術案として、血止めリブ１の内表面の天井にふた６があり、血止め１のうしろ側にふた１に貼り合わせる粘着リブ７を備える。
【００１２】
厳選した技術案として、血止めリブ１の材料がナノ材の布またはゴムで、ナノ材の布とゴムは柔らかいだけでなく、なおかつ抗菌能力がつよく、使用しない場合は、長期的な保存ができ、細菌への感染が一切ない。
【００１３】
この実用新型の有益な効果は、この実用新型の構造が簡単で、血止めリブは有効的に傷口に保護を行い、そととの接触を減らし、傷口の感染率を減らし、血止めリブのうえの固定リブをとおして、有効的に静脈に固定を行うことができ、血の流れ量を減らし、そとで負傷し病院へ送る途中で、交換使用ができ、有効的に血止めを行い、作業が便利だけでなく、もっと我々の安全保障ができる。
【００１４】
上記のどおり、この実用新型の具体的な実施方法だけであるが、この実用新型の保護範囲はここに限らないでもなく、いずれの創造性の労働を経てずに思い出した変化または御着替えは、この実用新型の保護範囲内に含む。従って、この実用新型の保護範囲は権利要求書に定めたどおりの保護範囲に準じるべきである。
【符号の説明】
【００１５】
１  血止めリブ
２  布
３  ロック
４  固定ベルト
５  固定リブ
【図１】
0003199018.tif 000003
【図２】
0003199018.tif 000004
(57)【要約】      （修正有）【課題】構造が簡単で、使用に便利で、化学液量を確実にコントロールすることができるチューブを提供する。【解決手段】チューブ１の真中の２つ側に１つの開け口を備え、前記の開け口が半円弧形になっており、２つの開け口が相対で、開け口のチューブ１内部にそれぞれ２つの当たり板を備え、この当たり板は当たり板２と当たり板４を含み、当たり板２と当たり板４はいずれも半円弧形状になっており、２つの当たり板の間に真中のところに積み重ね部分で、積み重ね部の真中に１つのピン３を備え、当たり板２が当たり板４の上側にあり、当たり板２、当たり板４の縁部に２つの当たり板の角度を調節することに用いる矢印を備える。【選択図】図１
0003199020.tif 000002
【実用新案登録請求の範囲】
【請求項１】
チューブにおいて、チューブ本体、このチューブ本体の真中に２つの開け口を備え、前記の開け口が半円弧の形状で形成され、開け口のチューブの内部にそれぞれ２つの当たり板を備え、この当たり板は第１の当たり板と第２の当たり板を含み、前記の第１の当たり板と第２の当たり板はいずれも半円弧形状になっており、２つの当たり板が積み重るように設けられ、その積み重ね部分の中心に１つのピンを備え、前記の第１の当たり板が第２の当たり板の上側にあり、第１の当たり板、第２の当たり板の上下の縁部に２つの当たり板の角度を調整するために用いる矢印からなる目盛を備えることを特徴とするチューブ。
【請求項２】
請求項１に記載のチューブにおいて、チューブ本体の開け口の下側に開け口の溝を備えることを特徴とするチューブ。
【請求項３】
請求項１に記載のチューブにおいて、前記の第１の当たり板、第２の当たり板の上側面はいずれ傾斜が下向きの斜面で、前記の第１の当たり板の下側面は傾斜が上向きの斜面で、この斜面と当たり板２の上側面が積み重ねることを特徴とするチューブ。
【請求項４】
請求項１に記載のチューブにおいて、前記の第１の当たり板の下側面、第２の当たり板の上側面はいずれも一層のパッキング層を備えることを特徴とするチューブ。
【考案の詳細な説明】
【技術分野】
【０００１】
この実用新型は一種の試験室のチューブにかかわる。
【背景技術】
【０００２】
試験室は試験時にふつうチューブを使用しているが、伝統的なチューブの構造が簡単で、チューブ内に試験を行うために、先に化学液を先に入れる必要があり、それでチューブでそのほかの化学液を入れ、２つに反応させるが、化学液はいつも抑える必要があり、多過ぎたら駄目で、少な過ぎたら駄目であるので、滴りで入れた化学液量は重荷になってしまう。
【考案の概要】
【考案が解決しようとする課題】
【０００３】
この実用新型にある解決すべき技術問題は一種の構造が簡単で、使用が便利で、化学液量の試験室のチューブを抑えることができる。
【課題を解決するための手段】
【０００４】
この実用新型は以下の技術案をとおして実現する。一種の試験室のチューブで、チューブを含み、このチューブの真中の両側に１つの開け口を備え、前記の開け口が半円弧形になっており、２つの開け口がお互いに対応し、開け口のチューブ内部はそれぞれ２つの当たり板を備え、この当たり板は当たり板１と当たり板２を含み、前記の当たり板１と当たり板２はいずれも半円弧形状で、２つの当たり板の間が積み重ね部であり、積み重ね部の真中に１つのピンを備え、前記の当たり板１が当たり板２の上下の外縁のところに２つの当たり板の角度を調節することに用いる矢印を備える。
【０００５】
厳選した技術案として、チューブの開け口の下側に開け口の溝を備える。
【０００６】
厳選した技術案として、前記の当たり板１、当たり板２の上側の面はいずれも下向きの坂が斜めになっており、前記の当たり板１の下側の面が上向きの坂の斜めの面で、この斜めの面は当たり板２の上側の面とお互いにあい積み重ねる。
【０００７】
厳選した技術案として、前記の当たり板１の下側の面、当たり板２の上側の面はいずれも一層のパッキンを備える。
【考案の効果】
【０００８】
この実用新型の有益の効果は、この実用新型がチューブの真中に２つの当たり板を備え、使用時にチューブ内の化学液を２つの当たり板に入れ、このときに２つの当たり板がパッキンで、２つの当たり板の間の相対位置を曲げ、それで矢印線を確実に入った化学液量を抑え、２つの当たり板の間に御互いに曲げ、スキマが現われる時に、化学液がチューブの底に流れこみ、化学液の確実なコントロールを実現し、この実用新型は特に学生および初心者の使用に適用する。
【図面の簡単な説明】
【０００９】
【図１】この実用新型のチューブの構造表し図である。
【図２】この実用新型のチューブの構造表し図である。
【図３】この実用新型の２つの当たり板の間の構造表し図である。
【考案を実施するための形態】
【００１０】
図１、図２と図３のようで、この実用新型の一種の試験室のチューブであり、チューブ１を含む。このチューブ１の真中の２つ側に１つの開け口６を備え、前記の開け口６が半円弧形になっており、２つの開け口６が相対で、開け口６のチューブ１内部にそれぞれ２つの当たり板を備え、この当たり板は当たり板２と当たり板４を含め、前記の当たり板２と当たり板４はいずれも半円弧形状になっており、２つの当たり板の間に真中のところに積み重ね部分で、積み重ね部の真中に１つのピン３を備え、前記の当たり板２が当たり板４の上側にあり、当たり板２、当たり板４の上下にそとの縁部に２つの当たり板の角度を調節することに用いる矢印７を備える。
【００１１】
厳選した技術案として、チューブ１の開け口の下に開け口溝５を備える。
【００１２】
厳選した技術案として、前記の当たり板２、当たり板４の上側の面はいずれも下向き坂の斜めの面で、前記の当たり板２の下側面は上向き坂の斜めの面で、この斜めの面と当たり板４の上側面がお互いにあい積み重ねる。
【００１３】
厳選した技術案として、前記の当たり板２は下側面で、当たり板４の上側の面はいずれも一層のパッキンを備える。
【００１４】
この実用新型によい効果としては、この実用新型がチューブの真中に２つの当たり板を備え、使用時にまずチューブ内の化学液を２つの当たり板の上に滴り、このときに２つの当たり板がパッキンで、２つの当たり板の間が相対位置で、それでこの矢印線により確実に化学液量を入れ、２つの当たり板の間にお互いに曲げすきまが出たら、化学液をチューブのそこに流れ、化学液の確実なコントロールを実現し、この実用新型は特に学生および新人の使用に適用する。
【００１５】
上記の通り、この実用新型の具体的な実施する方法であるが、この実用新型の保護範囲はそうではなく、いずれも創造性のある労働にて変化または置き換えを思い出し、いずれもこの実用新型の保護範囲内に含む。従って、この実用新型の保護範囲は権利要求書に定められた保護範囲に準じるべきである。
【符号の説明】
【００１６】
１  チューブ
２、４  当たり板
３  ピン
６  開け口
７  矢印
【図１】
0003199020.tif 000003
【図２】
0003199020.tif 000004
【図３】
0003199020.tif 000005
(57)【要約】      （修正有）【課題】スロット台を容易に固定できるスロット台装置を提供する。【解決手段】一台又は複数のスロット台１とそれを設置する設置設備２、及び、スロット台と設置設備を取付けて固定するための固定具３からなり、設置設備２は、四角状に枠板２３と、その内部に配置された上部板２１と下部板２２からなり、スロット台１は、上部板と下部板の間に載せて配置し、下部板に取付けた固定具３でスロット台を押し付けて固定する。固定具は、ハンドルによりピストンを上下させる機構を有する。【選択図】図１
0003199067.tif 000002
【実用新案登録請求の範囲】
【請求項１】
一台又は複数のスロット台とそれを設置する設置設備２、及び、スロット台と設置設備を取付けて固定するための固定具３からなり、設置設備２は、四角状に枠板と、その内部に配置された上部板２１と下部板２２からなり、スロット台1は、上部板２１と下部板２２の間に、載せて配置し、下部板２２に取付けた固定具3でスロット台1を上部板２１に押し付けて固定するようにしたスロット台装置。
【考案の詳細な説明】
【技術分野】
【０００１】
本考案は、スロット台を容易に設置する固定具を用いたスロット台装置。
【背景技術】
【０００２】
スロット台の取付、脱着に時間がかかっていた。
【考案の概要】
【考案が解決しようとする課題】
【０００３】
スロット台を容易に固定できるスロット台装置を提供する。
【課題を解決するための手段】
【０００４】
一台又は複数のスロット台とそれを設置する設置設備２、及び、スロット台と設置設備を取付けて固定するための固定具からなり、設置設備２は、四角状に枠板と、その内部に配置された上部板21と下部板22からなり、スロット台1は、上部板２１と下部板２２の間に、載せて配置し、下部板２２に取付けた固定具3でスロット台1を上部板２１に押し付けて固定するようにしたスロット台装置。
【考案の効果】
【０００５】
スロット台を容易に固定できる。
【図面の簡単な説明】
【０００６】
【図１】スロット台装置の構成
【図２】スロット台の固定具の構成(a)無固定状態正面（ｂ）無固定状態側面  （ｃ）固定状態側面
【考案を実施するための形態】
【０００７】
本考案のスロット台装置は、一台又は複数のスロット台とそれを設置する設置設備２、及び、スロット台と設置設備を取付けて固定するための固定具からなる。
設置設備２は、四角状に枠板と、その内部に配置された上部板２１と下部板２２からなり、スロット台1は、上部板２１と下部板２２の間に、載せて配置し、下部板２２に取付けた固定具3でスロット台1を上部板２２に押し付けて固定する。
固定具3は、ハンドルによりピストンを上下にしてスロット台を固定するものである。
固定具3は、ハンドルによりピストンを上下にする機構（図示せず）、上下するピストン、ピストンの下端につけられた持ち上げ板３３、下部板２２に固定するための取付け部３４、ハンドル３１からなる。
ハンドル31を下に倒すことにより図２の（ｂ）無固定状態から、ピストン32が上がり同時に持ち上げ板33上がりスロット台1を押さえて固定する（ｃ）の固定状態に移行する。
【産業上の利用可能性】
【０００８】
スロット台を容易に固定できるスロット台装置を提供する。
【符号の説明】
【０００９】
1  スロット台
2  設置設備
２１  上部板
２２  下部板
２３  枠板
3  固定具  
３１ ハンドル
３２ピストン
３３ 持ち上げ板
３４  取付け部
４  スロット台装置
P  ハンドル４５度
【図１】
0003199067.tif 000003
【図２】
0003199067.tif 000004